(57)【特許請求の範囲】
【請求項１】
凹レンズである対物レンズと、凸レンズである接眼レンズと、これら対物レンズと接眼レンズとを保持する保持枠とを備え、対物レンズの凹面側を接眼レンズに向けて配置した逆ガリレオタイプのファインダ装置において、
前記保持枠に、前記対物レンズの凹面に沿って近接し、先端が対物レンズの底面よりも上方に突出された円弧形状の遮断壁と、この遮断壁の上面に配される凹凸形状とを設け、該対物レンズの底面で反射した光を遮断壁の側面で遮断し、該遮断壁の上面に入射した光を凹凸形状で拡散して、接眼レンズに入射しないようにしたことを特徴とするファインダ装置。
【請求項２】
前記対物レンズの前面側に配置され、ファインダ視野を確保するための開口が形成されたカバー部材の裏面に、該対物レンズの前面形状に沿って突出されたリブを該開口の周囲に形成し、対物レンズの底面に入射する光を遮断したことを特徴とする請求項１記載のファインダ装置。
【発明の詳細な説明】
【０００１】
【発明の属する技術分野】
本発明は、逆ガリレオタイプのファインダ装置の改良に関するものである。
【０００２】
【従来の技術】
撮影レンズやシャッタ機構等からなる簡単な撮影機構が組み込まれ、予め未露光の写真フイルムが製造時に装填されて販売されるレンズ付きフイルムユニットが知られている。従来のレンズ付きフイルムユニットでは、コストダウンのために素通しのファインダが用いられていたが、現在では小型化のために両凹レンズである対物レンズと平凸レンズである接眼レンズとからなる逆ガリレオタイプの光学ファインダを用いているものが多い。
【０００３】
また、この逆ガリレオタイプの光学ファインダは、使用後のレンズ付きフイルムユニットは回収されて各部品が再使用されることから、前面側の凹みが小さく背面側の凹みを大きくした対物レンズを用いて、対物レンズへの汚れの付着を防止するとともに、対物レンズの洗浄をしやすくしている。
【０００４】
写真撮影時には、太陽や室内灯等のように上方に明るい光源があることが多いが、これらの光がファインダ光路内に入射するとファインダ視野画像のコントラストが低下してしまう。特に、逆ガリレオタイプのファインダでは対物レンズが凹の強いパワーのため周辺厚が厚くなり、上方から入射した光が対物レンズの底面で反射して、ファインダ視野画像の下部が光って見にくくなるフレアーという現象が発生するという問題があった。
【０００５】
上記問題を解決するために、特開平７−１２８７０８号公報記載の発明では、図９に示すように、対物レンズ５０と接眼レンズ５１とが組み込まれた保持枠５７の底板５８に、対物レンズ５０と接眼レンズ５１との間に配置されるように、対物レンズ５０の底面５０ａよりも上方に突出された突条状の遮断壁５２を設け、この遮断壁５２により対物レンズ５０の底面５０ａで反射した光５３を遮断して、撮影者の目に入射するのを防止している。
【０００６】
【発明が解決しようとする課題】
しかしながら、ファインダをより小型にしたり倍率を高くすると、対物レンズ５０の底面５０ａの面積が大きくなり、底面５０ａで反射した光５３が遮断壁５２の上方を通過して接眼レンズ５１に入射してしまう。また、遮断壁５２は接眼レンズ５１寄りの対物レンズ５０の底面５０ａで反射した光は遮断できるが、対物レンズ５０の前面側の底面５０ａで反射した光は、遮断壁５２の上方を通過して接眼レンズ５１に入射してしまう。
【０００７】
これらを解決するためには、遮断壁５２の高さを高くすればよいが、ファインダ視野内に遮断壁５２が入り込んでしまうという問題がある。また、対物レンズ５０の有効径と底面５０ａとの距離を大きくすることにより解決することもできるが、ファインダが大型化してしまうため、小型で携帯性のよいレンズ付きフイルムユニットには不向きである。更に、対物レンズ５０の前面側に配置されるカバー部材である前カバー６０で対物レンズ５０の前面側の底面５０ａに光が入射するのを妨げることもできるが、ファインダを小型化したり、設計自由度を向上させるために対物レンズ５０の前面５０ｂを凹面とした場合、前カバー６０と対物レンズ５０の前面５０ｂとの間に隙間ができてしまい、この隙間から外乱光が侵入してフレアーを発生させてしまう。
【０００８】
本発明は、上記問題点を解決するためのもので、対物レンズ底面での光の反射による視認性の劣化を防止したファインダ装置を提供することを目的とする。
【０００９】
【課題を解決するための手段】
上記問題点を解決するために、本発明の請求項１記載のファインダ装置は、保持枠に、対物レンズの凹面に沿って近接し、先端が対物レンズの底面よりも上方に突出された遮断壁と、この遮断壁の上面に形成される凹凸形状とを設け、該対物レンズの底面で反射した光を遮断壁の側面で遮断し、該遮断壁の上面に入射した光を凹凸形状で拡散して、接眼レンズに入射しないようにしたものである。
【００１０】
また、請求項２記載のファインダ装置は、対物レンズの前面側に配置され、ファインダ視野を確保するための開口が形成されたカバー部材の裏面に、該対物レンズの前面形状に沿って突出されたリブを該開口の周囲に形成し、対物レンズの底面に入射する光を遮断するようにしたものである。
【００１１】
更に、請求項３記載のファインダ装置は、対物レンズと接眼レンズとの間に、対物レンズの凹面に沿って近接し、先端が対物レンズの底面よりも上方に突出された遮断壁を設け、対物レンズの底面で反射した光を遮断して接眼レンズに入射するのを防止するとともに、該対物レンズの前面側に配置され、ファインダ視野を確保するための開口が形成されたカバー部材の裏面に、対物レンズの前面形状に沿って突出されたリブを該開口の周囲に形成し、対物レンズの底面に入射する光を遮断するようにしたものである。
【００１２】
【発明の実施の形態】
以下、添付した図面に従って、本発明を実施したレンズ付きフイルムユニットについて説明する。図２に示すように、レンズ付きフイルムユニット２は、予め写真フイルムが装填され各種撮影機構が組み込まれたユニット本体３と、このユニット本体３を部分的に覆うラベル４とから構成されている。
【００１３】
ユニット本体３の上面には、シャッタボタン６，カウンタ窓７が、前面にはファインダ８，撮影レンズ９等が設けられている。また、背面側からは１コマの撮影毎に回転操作される巻上げノブ１０が露呈されている。ラベル４は、裏面に接着剤が塗布された帯状の紙片であり、ユニット本体３の中央部分に巻かれるように貼付される。ラベル４には、撮影レンズ９やファインダ８，カウンタ窓７等を外部に露呈させる開口が形成されている。
【００１４】
図３に示すように、ユニット本体３は、フイルムカートリッジ１２が装填される本体部１３と、この本体部１３の前面に組み付けられる露光ユニット１４と、本体部１３を挟み込むように前面側及び背面側に組み付けられるカバー部材である前カバー１５及び後カバー１６とから構成されている。
【００１５】
フイルムカートリッジ１２は、プラスチック製のカートリッジ本体１８と、このカートリッジ本体１８内に収納される写真フイルム１９とから構成されている。カートリッジ本体１８内には、写真フイルム１９の一端が係止されるスプール２０が回転自在に組み込まれており、更に特開平６−２６６０５３号公報で知られるようなフイルム送出し機構が内蔵されている。また、写真フイルム１９がカートリッジ本体１８内に出入りするフイルム出入り口（図示せず）には、外部から回動されることによりフイルム出入り口を開閉する棒状の遮光蓋２１が組み込まれている。
【００１６】
本体基部１３の中央部には、撮影レンズ９から写真フイルム１９までの間の撮影光路を遮光する遮光筒２３が設けられている。この遮光筒２３の前面側には、撮影レンズ９を透過した被写体光を写真フイルム１９まで導く開口２４が形成されており、背面側には、写真フイルム１９への露光範囲を規定するアパーチャーが形成されている。
【００１７】
遮光筒２３を挟む両側には、製造段階でカートリッジ本体１８と、ロール状に巻かれた写真フイルム１９とがそれぞれ収納される、カートリッジ室２６とフイルムロール室２７とが一体に形成されている。カートリッジ室２６及びフイルムロール室２７は、本体部１３の背面側に後カバー１６が組み付けられ、後カバー１６に一体に形成されたカートリッジ室用の底蓋２９と、フイルムロール室用の底蓋３０とが閉じられることにより適正な遮光能が得られる。なお、底蓋２９，３０は、後カバー１６に対して屈曲自在な薄肉部を介して連結されており、底蓋２９は使用後のレンズ付きフイルムユニット２からフイルムカートリッジ１２を取り出す際に開放される。
【００１８】
カートリッジ室２６の上部には、巻上げノブ１０が回転自在に組み付けられている。この巻上げノブ１０は、下面に形成された駆動軸がカートリッジ本体１８のスプール２０に係合されており、１コマの撮影ごとに図中反時計方向に回転操作されることにより、カートリッジ本体１８内に写真フイルム１９を巻き上げる。また、巻上げノブ１０は、カートリッジ室２６の上面に形成された逆止爪３２が外周に噛合されることにより、逆方向への回転が阻止されている。また、図示しないが、カートリッジ室２６の上面及び側面には、カートリッジ室２６からフイルムカートリッジ１２を取り出す際に、底蓋２９の開放に連動して遮光蓋２１を閉じる遮光蓋閉鎖機構が組み込まれている。
【００１９】
前カバー１５は、本体基部１３の前面側に着脱自在に組み付けられ、シャッタボタン６とともに、ファインダ８の対物側を外部に露呈する対物側開口３４が形成されている。後カバー１６は、本体基部１３の背面側に爪係合によって組み付けられた後に、超音波溶着により固着される。後カバー１６の内面側には、本体部１３のアパーチャーの背後で写真フイルム１９の背面を支持するフイルム支持面１６ａが形成されている。また、ファインダ８の接眼側を外部に露呈する接眼側開口３６が支持面１６ａの上方に形成されている。
【００２０】
露光ユニット１４は、多数のボスや突起が一体に形成されたブロック形状のユニット基部３７に、ファインダ８や撮影レンズ９の他、シャッタチャージ機構，シャッタレリーズ機構，フイルム巻止め機構，フイルムカウント機構等が一体に組み込まれている。そして、本体部１３の遮光筒２３の前面に爪係合によって着脱自在に組み付けられる。
【００２１】
図１及び図４並びに図５に示すように、ユニット基部３７の上部には、ファインダ８を構成する両凹レンズである対物レンズ３９と、平凸レンズである接眼レンズ４０とをそれぞれ保持する保持枠４１が一体に形成されている。この保持枠４１は、ユニット基部３７上に形成された底板４１ａに、対物レンズ３９の両側面に形成された突条３９ａ，３９ｂが挿入されるスリットをそれぞれ備えた一対の支柱４２ａ，４２ｂからなる第１保持部４２と、接眼レンズ４０の両側面に形成された突条４０ａ，４０ｂが挿入されるスリットをそれぞれ備えた一対の支柱４３ａ，４３ｂからなる第２保持部４３とが形成されている。
【００２２】
第１保持部４２と第２保持部４３との間の保持枠４１の底板４１ａには、対物レンズ３９の背面側の凹形状に沿って近接し、上面４５ａが底面３９ｃよりも上方に突出された円弧形状の遮断壁４５が一体に形成されている。これにより、対物レンズ３９の底面３９ｃで反射された光４６は、近傍に配置された遮断壁４５に効果的に遮断されるので、ファインダ８を覗いた際にファインダ視野の下方が光って見えにくくなるようなことはない。
【００２３】
遮断壁４５の上面４５ａは、光を拡散するために凹凸形状となっているので、この上面４５ａで反射した光が接眼レンズ４０に入射することはない。更に、この遮断壁４５は、対物レンズ３９に近接して設けられているので、図９に示す従来の遮断壁５２よりも高さを低くすることができ、ファインダ視野範囲を狭めるようなことはない。
【００２４】
また、前カバー１５の裏面で、対物用開口３４の外周には、対物レンズ３９の前面形状に沿ってリブ６５が設けられている。これにより、対物レンズ３９の前面側の底面３９ｃに入射する光は、その途中でリブ６５に遮断されるので、ファインダ８を覗いた際にファインダ視野の下方が光って見えにくくなるようなことはない。更に、前カバー１５と対物レンズ３９との間の隙間が小さくなるので、この間から砂やゴミ等の異物が入り込むのを防止できる。
【００２５】
ところで、使用後に回収されたレンズ付きフイルムユニット２では、対物レンズ３９の洗浄が行われる。この洗浄は、洗浄液が塗布された洗浄布で対物レンズ３９の前面が拭かれることにより行われている。この洗浄の際に、従来のレンズ付きフイルムユニットでは、図９に示すように、保持枠５１の底板５８の前端部５８ａが対物レンズ５０の前面よりも前方に出っ張っていたため、洗浄布で対物レンズ５０の前面の下方側を適正に洗浄することができなかった。そこで、本実施形態のレンズ付きフイルムユニット２では、保持枠４１の底面４１ａの前端部４１ｂを対物レンズ３９の前面よりも奥まった位置になるようにし、対物レンズ３９の前面全てを適正に洗浄できるようにしている。
【００２６】
また、図６は、前カバー１５を成型するメス側の金型６７の平面図であるが、この金型６７では、前カバー１５に対物側開口３４とリブ６５とを形成する部分に、傷や劣化等の際にこの部分のみを交換できるように入れ子６８を用いており、金型６７の交換を減らしてコストダウンを可能としている。
【００２７】
更に、この入れ子６８は、図６のＡ−Ａ断面である図７に示すように、金型６７にネジ７０によって固定される外側入れ子７１と、この外側入れ子７１にネジ７３によって取り付けられる内側入れ子７２とから構成されている。これにより、例えば内側入れ子７２にのみ傷がある場合には、無傷の外側入れ子７１に別の新しい内側入れ子７２を組み付けて使用することができる。
【００２８】
また、上記実施の形態では、遮断壁５２の形状を円弧形状としたが、図８に示すように、対物レンズ３９の凹形状に沿って湾曲した突条状の遮断壁５５でも同様の効果を得ることができる。また、上記実施形態では、レンズ付きフイルムユニットのファインダを例に説明したが、逆ガリレオタイプのファインダを用いたカメラ等にも利用することができる。
【００２９】
【発明の効果】
以上説明したように、本発明のファインダ装置によれば、対物レンズの凹面に沿って近接し、先端が対物レンズの底面よりも上方に突出された遮断壁を設けたので、対物レンズの底面で反射した光を遮断して接眼レンズに入射しないようにすることができ、ファインダ装置の視認性を向上させることができる。また、対物レンズに近接して設けたので、従来の遮断壁よりも高さを低くすることができ、ファインダ視野範囲を狭めることはない。更に、低コストに採用することができる。
【００３０】
また、対物レンズの前面側に配置されるカバー部材の開口の外周に、対物レンズの前面形状に沿ってリブを突出させたので、対物レンズの前面側の底面に外光が入射するのを低コストに遮断することができ、ファインダ装置の視認性を向上させることができる。
【図面の簡単な説明】
【図１】本発明のファインダ装置を用いたレンズ付きフイルムユニットの縦要部断面図である。
【図２】レンズ付きフイルムユニットの外観を示す斜視図である。
【図３】ユニット本体の構成を示す分解斜視図である。
【図４】ファインダの構成を示す分解斜視図である。
【図５】レンズ付きフイルムユニットのファインダ部分の横要部断面図である。
【図６】前カバーの雌側金型の平面図である。
【図７】図６のＡ−Ａ断面図である。
【図８】ファインダの別の実施形態を示す分解斜視図である。
【図９】従来のファインダ装置を用いたレンズ付きフイルムユニットの縦要部断面図である。
【符号の説明】
２  レンズ付きフイルムユニット
３  ユニット本体
８  ファインダ
１４  露光ユニット
３４  対物側開口
３９  対物レンズ
４０  接眼レンズ
４１  保持枠
４５，５５  遮断壁
６５  リブ
【図１】
0003751103.tif 000002
【図２】
0003751103.tif 000003
【図３】
0003751103.tif 000004
【図４】
0003751103.tif 000005
【図５】
0003751103.tif 000006
【図６】
0003751103.tif 000007
【図７】
0003751103.tif 000008
【図８】
0003751103.tif 000009
【図９】
0003751103.tif 000010